【手続補正書】
【提出日】平成20年4月2日(2008.4.2)
【手続補正１】
【補正対象書類名】明細書
【補正対象項目名】特許請求の範囲
【補正方法】変更
【補正の内容】
【特許請求の範囲】
【請求項１】容器のキャップを穿孔するための装置であって、
ａ）ブレード組立体であって、該ブレード組立体が全体に修正されたＨ形の横断面形状を有するように互いに連結されたセンタブレード（２）と２つの交差ブレード（１，３）とを備え、前記センタブレードは、前記２つの交差ブレード（１，３）を連結して取り付けるための少なくとも２つの平行な長手方向スロット（４）を有する、ブレード組立体と、
ｂ）容器（７）上のキャップ（８）を穿孔するために前記ブレード組立体を移動させるための手段とを含む、穿孔装置。
【請求項２】前記センタブレード（２）及び前記交差ブレード（１，３）は、それぞれ、各ブレード（１，２，３）の幅を横切って負荷を分散するための全体にＶ形又は逆Ｖ形の穿孔端部を有する、請求項１に記載の装置。
【請求項３】前記ブレード組立体を移動させるための手段は、さらに、
ａ）少なくとも１つの案内ロッド（２４）を有する構造フレーム（５４）と、
ｂ）前記案内ロッド（２４）に摺動可能に据え付けられたキャリッジ組立体（２３）と、
ｃ）前記キャリッジ組立体（２３）を前記案内ロッド（２４）に沿って移動させるための駆動手段と、
ｄ）前記ブレード組立体を保持するための、前記キャリッジ組立体（２３）により支持されまた前記キャリッジ組立体と共に移動する支持アームとを含む、請求項１または２のいずれか１項に記載の装置。
【請求項４】前記キャリッジ組立体（２３）を駆動するための手段は、さらに、前記キャリッジ組立体（２３）を駆動するための親ねじ（２５）と該親ねじ（２５）を駆動するためのモータとを含む、請求項３に記載の装置。
【請求項５】さらに、前記キャリッジ組立体（２３）により運ばれまた前記キャリッジ組立体とともに移動する整列ブロック組立体（２０）であって、前記キャップ（８）の穿孔後に前記穿孔ブレード組立体が引込まれるとき、前記容器（７８）を下方に保持するためのリターンスプリング（２２）により偏倚される整列ブロック組立体（２０）を含む、請求項１〜３のいずれか１項に記載の装置。
【請求項６】さらに、前記ブレード組立体を洗浄するための手段を含む、請求項１〜５のいずれか１項に記載の装置。
【請求項７】前記ブレード組立体を洗浄するための手段は、さらに、前記ブレード組立体が通過するためのチャンバを有する洗浄タワー（１９）を備える、請求項６に記載の装置。
【請求項８】前記ブレード組立体を洗浄するための手段は、さらに、前記洗浄タワー（１９）の下方に据えられ、前記ブレード組立体の通過を許す開位置と各穿孔操作後、前記ブレード組立体が洗浄されているときに前記洗浄タワーを封止するための閉位置との間を移動可能であるシャトル（１４）を有するシャトル機構を含む、請求項６又は７に記載の装置。
【請求項９】前記シャトル（１４）は、前記キャリッジ組立体（２３）の運動を介してカムにより水平に駆動される、請求項８に記載の装置。
【請求項１０】前記ブレード組立体を洗浄するための手段は、さらに、前記ブレード組立体にねらいをつけられかつ下方に向けて角度をつけられた一連のノズル（５７）を含み、前記ノズル（５７）は、前記ブレード組立体をきれいに洗浄するための前記洗浄タワー（１９）の上端部に機械加工されている、請求項６〜９のいずれか１項に記載の装置。
【請求項１１】さらに、各穿孔操作の前に前記ブレード組立体を潤滑するための手段を含む、請求項１〜１０のいずれか１項に記載の装置。
【請求項１２】前記ブレード組立体を潤滑するための手段は、さらに、潤滑油を収容するための容器と、前記潤滑油を注入するために前記容器に圧力を加えるための水圧−気圧システムと、前記潤滑油を分配するための精密なリニアポンプとを含む、請求項１１に記載の装置。
【請求項１３】前記ブレード組立体を潤滑するための手段は、さらに、前記ブレード組立体に前記潤滑油を塗るために前記ブレード組立体に接触するように配置された柔軟性及び吸収性を有する取り替え可能なパッドを含む、請求項１１又は１２に記載の装置。
【請求項１４】さらに、前記容器（７）上のキャップ（８）の存在を感知するための手段を含む、請求項１〜１３のいずれか１項に記載の装置。
【請求項１５】前記容器（７）上のキャップ（８）の存在を感知するための手段は光電センサを含む、請求項１４に記載の装置。
【請求項１６】さらに、前記容器（７）の高さを感知するための手段を含む、請求項１〜１５のいずれか１項に記載の装置。
【請求項１７】さらに、前記容器（７）を収容するラック（６）を案内するための手段を含む、請求項１〜１６のいずれか１項に記載の装置。
【請求項１８】さらに、前記ラック（６）の情報を確認するための手段を含む、請求項１７に記載の装置。
【請求項１９】各交差ブレード（１，３）は、さらに、穿孔の間の前記サンプル容器（７）の内部と外部の周囲圧力との間の通気のための少なくとも１つの縦長のスロットを有する、請求項１〜１８のいずれか１項に記載の装置。
【請求項２０】前記取り替え可能の柔軟な吸収性のパッドが、前記洗浄タワー（１９）の内部に配置されている、請求項１３〜１９のいずれか１項に記載の装置。
【請求項２１】前記精密なリニアポンプは、エラストマからなる管（５０）の長さにわたって据えられまた前記管（５０）に垂直な隣接した一連のフィンガ（４４）と、一端部にローラを有し、他端部に前記キャリッジ組立体が据えられている予荷重の片持ち支持されたスプリング（４６）であって該スプリングが前記フィンガ（４４）を連続的に倒して正確な量の潤滑油を芯に搾り出すことができるようなスプリングと含む、請求項１２〜２０のいずれか１項に記載の装置。
【請求項２２】前記スプリング組立体（４８）は、前記キャリッジ組立体（２３）の移動があるときに前記精密なリニアポンプの前記フィンガ（４４）上を転動可能である、請求項２１に記載の装置。
【請求項２３】前記潤滑油の流れは、２つの小さい変位によって制御されるように前記キャリッジ組立体（２３）の下方へのストロークと、逆方向への前記流れの遮断のための前記弾性管（５０）の各側部上に配置された非エラストマ製のチェックバルブとにより方向付けられる、請求項１２〜２２のいずれか１項に記載の装置。
【請求項２４】前記潤滑油の体積流量は、主として、前記フィンガ（４４）の数量及び幅と、前記弾性管（５０）の開口の断面積とにより定められる、請求項２１〜２３のいずれか１項に記載の装置。
【請求項２５】さらに、前記潤滑油の逆流を防止するため、前記キャリッジ組立体（２３）がその復帰位置にあるときに前記片持ち支持のスプリング（４６）のローラが止まる位置に配置された前記管（５０）上に追加のフィンガ（４４）を含む、請求項２１〜２４のいずれか１項に記載の装置。
【請求項２６】さらに、予め定められた点に前記整列ブロック（２０）の下方移動を停止させ、一方、前記容器（７）が所定位置にないとき、呼び水の間にオイルのポンプ動作を生じさせるべく、前記キャリッジ組立体（２３）の移動を維持させるための前記フレームに据えられた停止ブロックを含む、請求項５〜２５のいずれか１項に記載の装置。
【請求項２７】穿孔の間に前記ブレード組立体が前記芯から前記オイルの量の一部を受け取り、前記サンプル容器（７）のキャップ（８）上に前記オイルの一部を運び、また、引き続くサンプリングの間に前記容器（７）のキャップ（８）へのサンプルプローブの挿入のための摩擦を低減する前記オイルの一部の一部を、前記容器（７）内に予め存在する真空のために穿孔後に前記容器（７）のキャップ（８）上に残すことができるように、正確な量のオイルが前記芯に分配される、請求項２６に記載の装置。
【請求項２８】さらに、システムの調整された真空源に接続された３路弁（３７）を含み、該弁は、前記ブレード組立体が洗浄されるときに前記真空を制御するための前記シャトル機構の出口ポートに配管された通常は閉じられるポートと、前記ブレード組立体の洗浄後に残留流体を除去するために前記洗浄ステーションの入口ポートに配管された通常は開かれるポートとを有する、請求項５〜２７のいずれか１項に記載の装置。
【請求項２９】さらに、前記支持アームに前記ブレード組立体を据え付けるための手段を含み、該据え付け手段は、特別な道具を要することなしに前記ブレード組立体の安全な取付及び取り外しが可能であるように設計され、また収集器への前記ブレード組立体の廃棄を片手で行うことができる専用設備を含む、請求項１〜２８のいずれか１項に記載の装置。